(57)【要約】【課題】紙芝居の作製コストおよび工数を十分低く抑えることができ、しかも、消費電力を有効に抑制できる可逆式情報表示パネルを用いた紙芝居セットを提供する。【解決手段】相互に対向する、少なくとも一方が透明な二枚の基板間の密閉空間内に、表示媒体を封入するとともに、それらの表示媒体を電界で移動させて、透明基板側に所要の情報を表示させる、可逆式にして乾式の情報表示パネル２と、情報表示パネルに表示された情報を書き換える書き換え手段を有する紙芝居ボックス３と、書き換え手段を制御する紙芝居ソフト４と、からなり、（１）色および帯電特性が異なる二種類の表示媒体を使用し、（２）表示媒体を構成する表示媒体用粒子の平均粒子径を３〜１０μｍの範囲とし、（３）情報表示パネルの総厚さを１０μｍ以上で１ｍｍ未満として紙芝居セット１を構成する。【選択図】図１
2006235296.tif 000002
【特許請求の範囲】
【請求項１】
相互に対向する、少なくとも一方が透明な二枚の基板間の密閉空間内に、二種類の表示媒体を封入するとともに、それらの二種類の表示媒体を電界で移動させて、透明基板側に所要の情報を表示させる、可逆式情報表示パネルと、情報表示パネルに表示された情報を書き換える書き換え手段を有する紙芝居ボックスと、書き換え手段を制御する紙芝居ソフトと、からなり、（１）色および帯電特性が異なる二種類の表示媒体を使用し、（２）情報表示パネルに用いる二種類の表示媒体を構成するそれぞれ二種類の表示媒体用粒子の平均粒子径を３〜１０μｍの範囲とし、（３）情報表示パネルの総厚さを１０μｍ以上で１ｍｍ未満としたことを特徴とする可逆式情報表示パネルを用いた紙芝居セット。
【請求項２】
前記二枚の基板の少なくとも一方の厚さが０．４ｍｍ以下であって、かつ、二枚の基板が対向して作り出す基板間の間隔が０．１ｍｍ以下であることを特徴とする請求項１に記載の可逆式情報表示パネルを用いた紙芝居セット。
【請求項３】
それぞれの基板をプラスチック材料製としてなる請求項１または２に記載の可逆式情報表示パネルを用いた紙芝居セット。
【請求項４】
表示媒体として表示媒体用粒子で構成した粒子群または表示媒体用粒子で構成した粉流体を用いたことを特徴とする請求項１〜３のいずれか１項に記載の可逆式情報表示パネルを用いた紙芝居セット。
【請求項５】
可逆式情報表示パネルを装着して紙芝居を実演する前面が透明板からなる紙芝居ボックスの前面および背面に、表示媒体に電界を付与する電極を設けてなることを特徴とする請求項１〜４のいずれか１行に記載の可逆式情報表示パネル。
【発明の詳細な説明】
【技術分野】
【０００１】
本発明は、相互に対向する、少なくとも一方が透明な二枚の基板間の密閉空間内に、表示媒体を封入するとともに、それらの表示媒体を電界で移動させて、透明基板側に所要の情報を表示させる、可逆式の情報表示パネルを用いた紙芝居セットに関するものである。
【背景技術】
【０００２】
従来の紙芝居は、予め演目の主要部分の場面を紙やプラスチックボードに記載した複数の画像を、額縁状の基台中で順に提示し、読み手がその場面の解説を順次することで行われている。近年、紙やプラスチックボードなどの画像を使用せずに、ＴＶなどのディスプレイに静止画を順次表示し、上述した紙芝居と同様に、読み手がその場面を解説する電子紙芝居も知られている。
【発明の開示】
【発明が解決しようとする課題】
【０００３】
しかしながら、場面毎の画像を表示した紙やプラスチックボードなどを用いた従来の紙芝居では、場面毎に何枚もの静止画を準備し、上演会場に持っていかなければならなかった。これに対し、電子紙芝居では、何枚もの静止画を準備する必要はないが、画像を表示するディスプレイが大型化し、可搬性に乏しくなり、従来の紙芝居の雰囲気を出せないという問題や、上演中通電しつづけなければ表示が行えず消費電力がかさむという問題があった。
【０００４】
一方、繰り返して画像等の情報を表示することができる情報表示パネルとして、本出願人は、少なくとも一方が透明の二枚の基板間の空間内に、表示媒体を封入し、それらの表示媒体を電界中で移動させて透明基板側に所要の情報を表示させることのできる可逆式情報表示パネルを提案している（例えば、特許文献１参照）。この情報表示パネルは、基板内に形成された電界に基づいてあるいは基板上の静電潜像等の電荷の形成に基づいて、表示媒体を移動させ、表示媒体を構成する表示媒体用粒子同士のクーロン力、電極との電気影像力、分子間力、液架橋力、重力等によって、基板間の電界がなくなってもなお、表示情報を長期間にわたって維持できるという、優れた表示保存性を発揮できる利点を有している。そこで、透明基板側に所要の、図形、記号、画像等の情報を長期間表示した後、簡単に消去して書き換えることができ、繰り返し使用できることから、上述した場面毎に表示内容を書き換えて行う紙芝居に好適に用いられる可能性がある。
【特許文献１】特開２００４−３４１１２３号
【０００５】
しかしながら、これまでの情報表示パネルを紙芝居に用いようとすると、鮮明な情報表示ができなかったり、表示情報の確実な消去および書き換えができなかったりする場合があるという問題があり、そのままでは本発明の対象とする紙芝居に用いることができなかった。
【０００６】
本発明の目的は上述した問題点を解消して、紙芝居の作製コストおよび工数を十分低く抑えることができ、しかも、消費電力を有効に抑制できる、軽量で、書き換え性及び可搬性に優れた可逆式情報表示パネルを用いた紙芝居セットを提供しようとするものである。
【課題を解決するための手段】
【０００７】
本発明の可逆式情報表示パネルを用いた紙芝居セットは、相互に対向する、少なくとも一方が透明な二枚の基板間の密閉空間内に、二種類の表示媒体を封入するとともに、それらの二種類の表示媒体を電界で移動させて、透明基板側に所要の情報を表示させる、可逆式情報表示パネルと、情報表示パネルに表示された情報を書き換える書き換え手段を有する紙芝居ボックスと、書き換え手段を制御する紙芝居ソフトと、からなり、（１）色および帯電特性が異なる二種類の表示媒体を使用し、（２）情報表示パネルに用いる二種類の表示媒体を構成するそれぞれ二種類の表示媒体用粒子の平均粒子径を３〜１０μｍの範囲とし、（３）情報表示パネルの総厚さを１０μｍ以上で１ｍｍ未満としたことを特徴とするものである。
【０００８】
ここで好ましくは、二枚の基板の少なくとも一方の厚さが０．４ｍｍ以下であって、かつ、二枚の基板が対向して作り出す基板間の間隔が０．１ｍｍ以下となるよう構成する。また好ましくは、それぞれの基板をプラスチック材料製から構成する。さらに好ましくは、表示媒体として粒子群または粉流体を用いる。また、可逆式情報表示パネルを装着して紙芝居を実演する前面が透明板からなる紙芝居ボックスの前面および背面に、表示媒体に電界を付与する電極を設けることが好ましい。
【発明の効果】
【０００９】
本発明の可逆式情報表示パネルを用いた紙芝居セットにおいては、まず、従来の情報表示パネルが抱えていた、鮮明な情報表示ができなかったり、表示情報の確実な消去および書き換えができなかったりする場合があるという問題を、（１）色および帯電特性の異なる二種類の表示媒体を使用し、（２）表示媒体を構成する表示媒体用粒子の平均粒子径を３〜１０μｍの範囲とし、（３）情報表示パネルの総厚さを１０μｍ以上で１ｍｍ未満とすることで解消している。これにより、情報表示パネルに電界を与える手段、たとえば情報表示パネル基板上に電荷を形成できる電荷形成手段（たとえば感光体によって静電潜像として電荷を形成する手段やイオンフローによって電荷を形成する手段）や、情報表示パネルの基板外に電極対を配置し電極間に電圧を印加する手段を用いれば表示情報の書き換えを確実に行える。そのため、上記構成を有する可逆式情報表示パネルを用いた紙芝居セットにおいては、一旦表示した情報を確実に消去した後、さらに新しい情報を表示することを一枚のパネルで何度でも行えるので、複数の用紙に所定の印刷等を施すことが不要となり、コストおよびそのための作業工数を大きく抑制することができるとともに、消費電力を十分に抑制した可搬性に優れたものとすることができる。
【００１０】
ところで、本発明の紙芝居セットに用いる情報表示パネルにおいて、それぞれの基板をプラスチック材料製とすることは、そのパネルを十分に薄肉化し、また軽量化することができるだけでなく、本発明の紙芝居セットに必要な、表示した情報を確実に消去して、その後さらに新しい情報を鮮明に表示したりする場合にも有効な方法となる。
【００１１】
従って、本発明の紙芝居セットによれば、多数枚の用紙に所定の印刷を施すことが不要となり、紙芝居の製作コストおよび、そのための作業工数を大きく抑制することができ、また、一枚の表示パネルでその場で画像を書き換えることが出来るので、場面毎の複数の用紙を準備して持ち運ぶ必要がないので可搬性に優れる。
【発明を実施するための最良の形態】
【００１２】
図１（ａ）、（ｂ）はそれぞれ本発明の可逆式情報表示パネルを用いた紙芝居セットの一例を示す図であり、図１（ａ）に書き換え前の状態を示すとともに、図１（ｂ）に書き換え後の状態を示す。
【００１３】
図１（ａ）、（ｂ）に示す例において、紙芝居セット１は、後に構造を詳述する情報表示パネル２と、情報表示パネル２を装着してその画像等の情報を書き換える書き換え手段としての紙芝居ボックス３と、紙芝居ボックス３を制御する紙芝居ソフトを備える制御部４と、から構成されている。そして、紙芝居ソフトを備える制御部４の制御に応じて、情報表示パネル２に画像等の情報を順次表示し、各画像等の情報の説明を読み手が行うことで、従来の紙芝居と同様の表現を行うことができる。また、制御部４の紙芝居ソフトを取り替えることで、様々な紙芝居を行うことができる。
【００１４】
図２（ａ）、（ｂ）はそれぞれ紙芝居ボックス３の情報表示パネル２と対応する部分の基板の一例を示す図である。図２（ａ）は紙芝居ボックス３の背面基板５の一例を示す図であり、背面基板５上には、ライン電極６が設けられている。図２（ｂ）は紙芝居ボックス３の前面透明基板７の一例を示す図であり、前面透明基板７上には、ライン電極６と垂直方向に透明ライン電極８が設けられている。
【００１５】
紙芝居ボックス３において、背面基板５と前面透明基板７とは、情報表示パネル２を出し入れ可能な間隔を隔てて設けられている。情報表示パネル２は、常に、背面基板５と前面透明基板７との間に装着して画像等の情報を順次書き換えて表示しても良いし、情報の書き換え毎に、一旦、背面基板５と前面透明基板７との間から取り出し、従来の紙芝居と同様の雰囲気を出すようにしても良い。このようにライン電極６と透明ライン電極８とを互いに垂直に配置することで、制御部４の制御のもと、情報表示パネル２にマトリックス方式の画像等の情報表示を行うことができる。
【００１６】
以下、上述した紙芝居セットに用いる、可逆式情報表示パネルについて説明する。
【００１７】
図３（ａ）〜（ｃ）はそれぞれ本発明で用いる可逆式情報表示パネルにおける構造の一例を示す図である。図３（ａ）に示す可逆式情報表示パネルは、相互に対向して平行をなす二枚の基板１１、１２間の、たとえば空気を封じ込めた密閉空間内に、互いに色と帯電特性が異なる、図では白黒二色、二種類の表示媒体１３Ｂ、１３Ｗ（ここでは白色表示媒体用粒子で構成される粒子群からなる白色表示媒体１３Ｗと黒色表示媒体用粒子で構成される粒子群からなる黒色表示媒体１３Ｂを示す）を封入することにより構成してなる。なお、図３（ｂ）に示す例では、図３（ａ）に示す例に加えて、基板１１、１２との間に例えば格子状に隔壁１４を設けセルを形成している。また、図３（ｂ）において、手前にある隔壁は省略している。さらに、図３（ｃ）に示す例では、透明なカプセル１７内に上述した表示媒体１３Ｂ、１３Ｗを封入し、隔壁を設けずに複数のカプセル１７を表示媒体として基板１１、１２間に配置して可逆式情報表示パネルを構成している。
【００１８】
また、図４（ａ）〜（ｃ）はそれぞれ本発明の可逆式情報表示パネルにおける構造の他の例を示す図である。図４（ａ）〜（ｃ）に示す可逆式情報表示パネルは、図３（ａ）〜（ｃ）について述べたところに加えて、それぞれの基板１１、１２の内面側に導電性部材１５、１６を配設するとともに、少なくとも透明基板１１側の導電性部材１６を透明導電性部材としたものである。
【００１９】
このような可逆式情報表示パネルは、帯電特性が異なる表示媒体（１３Ｗ、１３Ｂ）に電界を付与することにより、低電位に帯電した表示媒体が、クーロン力等によって高電位の電界方向に向かって引き寄せられる一方、高電位に帯電した表示媒体が低電位の電界方向に向かって引き寄せられることになり、それらの表示媒体１３Ｂ、１３Ｗは、電界方向の変化に伴って移送方向が切り替わり、透明の基板１１側に所要の情報を表示することができる。
【００２０】
従って、図３（ａ）〜（ｃ）及び図４（ａ）〜（ｃ）に示すところでは、白色表示媒体用粒子で構成した粒子群からなる白色表示媒体１３Ｗと黒色表示媒体用粒子で構成した粒子群からなる黒色表示媒体１３Ｂとの二色の表示媒体１３Ｂ、１３Ｗを、基板１１、１２内に付与される電界に応じて、それらの両基板間で垂直に移動させて、表示媒体を構成する表示媒体用粒子の大きさを画素単位として、白色表示媒体１３Ｗもしくは黒色表示媒体１３Ｂを観察者に視認させることで、透明基板１１にその表示を行うことができる。
【００２１】
なお、図３（ａ）〜（ｃ）及び図４（ａ）〜（ｃ）に示すこのようなパネルにおいて、白色表示媒体用粒子で構成した粒子群からなる白色表示媒体１３Ｗを白色表示媒体用粒子で構成した粉流体からなる白色表示媒体に、そして黒色表示媒体用粒子で構成した粒子群からなる黒色表示媒体１３Ｂを黒色表示媒体用粒子で構成した粉流体からなる黒色表示媒体に置き換えることもできる。また、可逆式情報表示パネルの、二色の表示媒体の色彩の組み合わせは、先に述べたような、白色と黒色等のみならず、実現可能な各種の色彩の任意の組み合わせとすることができる。
【００２２】
以上のような可逆式情報表示パネルは、少なくとも一方が透明な対向する二枚の基板１１、１２間の密閉空間内に、表示媒体１３Ｂ、１３Ｗを封入し、その表示媒体１３Ｂ、１３Ｗに電界を与えて、それを移動させて情報を表示する可逆式の表示パネルであり、ここでは、粒子群または粉流体を表示媒体１３Ｂ、１３Ｗとして使用し、その表示媒体１３Ｂ、１３Ｗを透明基板１１を介して視認させることで、白黒等の大きなコントラストの下で、広い視野角を確保することができる。また、情報（表示内容）を書き換える、すなわち、表示媒体１３Ｂ、１３Ｗを移動させる時だけ電界を働かせ、移動後は、電界の作用なしにも、表示媒体１３Ｂ、１３Ｗは、一旦移動した位置に留まるので表示情報を長期間にわたって保持させることができる。この一方で、情報を書き換えたい時（紙芝居にて場面を変える時）には、再び電界を働かせることで、表示媒体１３Ｂ、１３Ｗが再度移動して別の情報（次の場面）を表示することになるので、情報の書換え（場面の進行）を可逆的に行うことができる。
【００２３】
なおここでは、表示媒体１３が情報を直接的に表示するので、表示媒体１３を構成する粒子（表示媒体用粒子）のサイズが情報の鮮明さを決めることになる。そこでここでは、好ましくは、平均粒子径３〜１０μｍの粒子からなる表示媒体用粒子を用いて構成した粒子群を表示媒体としたり、表示媒体用粒子を粉流体となるように調整して表示媒体としたりすることで、鮮明な情報の表示を担保して、繊細で緻密な情報の表示を可能とする。また、表示パネル２の総厚さは１０μｍ以上１ｍｍ未満と大変薄く構成されるため、保護用シートにこれらの表示パネルを付けて、表示パネルを装着した保護用シートを背面基板５と前面透明基板７との間にスライドさせるようにして紙芝居ボックスに着脱自在に装着するようにすることが好ましい。
【００２４】
次に、上述した構成の本発明で用いる可逆式情報表示パネルにおける情報表示、情報書き換え、情報消去の例について説明する。
【００２５】
図５は本発明で用いる可逆式情報表示パネルにおける情報表示の一例を説明するための図である。本発明で用いる可逆式情報表示パネルでは、図５に一例を示すように、対向する基板１１、１２間に表示媒体１３（１３Ｂと１３Ｗ）を封入した可逆式情報表示パネルの透明基板１１側外部表面に、紙芝居ボックスに搭載した電荷形成手段２１で静電場が形成される。その静電場にしたがって、正極性に帯電した基板部位に向かっては負極性に帯電した表示媒体１３Ｂがクーロン力等によって引き寄せられ、また、負極性に帯電した基板部位に向かっては正極性に帯電した表示媒体１３Ｗがクーロン力等によって引き寄せられ、それら表示媒体１３Ｗ、１３Ｂが透明基板１１の内表面に引き寄せられて静電付着することにより、画像等の情報表示がなされる。
【００２６】
なお、この静電場の形成は、電子写真感光体を用い通常の電子写真システムで行われる静電潜像を本発明の可逆式情報表示パネル上に転写形成する、あるいは、イオンフローにより静電潜像を直接形成する等の方法でも行うことができるが、紙芝居ボックスの背面基板と前面透明基板に配置した電極対を用いて電界を付与する方法で行うことが好ましい。透明基板１１の内表面に引き寄せられて静電付着した表示媒体１３は、図５に一例を示すように、静電場（電界）がなくなってもそのまま付着しているので、電源がその通電を切っても表示情報がそのまま保持（メモリー）される。図５では、正帯電の白色表示媒体１３Ｗと負帯電の黒色表示媒体１３Ｂを例示している。
【００２７】
図６は本発明で用いる可逆式情報表示パネルにおける情報書き換えの一例を説明するための図である。一度画像等の情報が表示されたパネルをそのままの状態で、図６に一例を示すように、表示パネルの透明基板１１側外部表面に新たな電荷形成手段２１で電荷が付与されることにより新たな静電場が形成される。その新たに形成された静電場にしたがって、再び表示媒体１３の移動が起こり、正極性に帯電した基板部位に向かっては負極性に帯電した表示媒体１３がクーロン力等によって引き寄せられ、また、負極性に帯電した基板部位に向かっては正極性に帯電した表示媒体１３がクーロン力等によって引き寄せられ、それら表示媒体１３が透明基板１１の内表面に引き寄せられて静電付着することにより、画像等の情報表示が書き換えられる。図６では、正帯電の白色表示媒体３Ｗと負帯電の黒色表示媒体３Ｂを例示している。
【００２８】
図７は本発明で用いる可逆式情報表示パネルにおける情報消去の一例を説明するための図である。図７に一例を示すように、表示用パネルの基板１１、１２のそれぞれの外面に電荷形成手段２２、２３（例えば電極対）を配置して、例えば基板１１、１２に交番電圧を印加する。これにより、可逆式情報表示パネルの基板１１、１２の外面に電荷を供給することによって、画像等の情報を消去することができる。
【００２９】
上述した構成の情報表示パネルを紙芝居セットの表示パネル２として用いる場合には、それぞれの基板１１、１２をプラスチック材料製とすることが、表示パネルの薄肉化および軽量化を実現し、表示パネルを薄型で可搬性に優れたものとし、加えて紙芝居ボックスも薄型にできるので、紙芝居セット全体を可搬性に優れたものとする上で好ましい。
【００３０】
ところで、情報表示パネルの基板１１、１２については、それらの少なくとも一方の基板１１はパネルの外側から表示媒体の色が確認できる透明基板であり、この基板１１は、可視光の透過率が高くかつ耐熱性の良い材料で構成することが好適である。なお、基板１２は透明でも不透明でもかまわない。基板材料を例示すると、ポリエチレンテレフタレート、ポリエーテルサルフォン、ポリエチレン、ポリカーボネート、ポリイミド、アクリル樹脂などのポリマーシートや、金属シートのように可撓性のあるもの、および、ガラス、石英などの可撓性のない無機シートが挙げられる。
【００３１】
基板の厚みは、２〜４００μｍが好ましく、さらに５〜３００μｍが好適である。薄すぎると、強度、基板間の間隔の均一性を保ちにくくなり、４００μｍより厚いと、基板内に形成した電荷による電界の力で表示媒体が移動しなくなる不都合がある。
【００３２】
また、必要に応じて基板に設けられる導電性部材１５、１６の構成材料としては、アルミニウム、銀、ニッケル、銅、金等の金属類やＩＴＯ、酸化インジウム、導電性酸化錫、導電性酸化亜鉛等の導電金属酸化物類、ポリアニリン、ポリピロール、ポリチオフェンなどの導電性高分子類が例示され、適宜選択して用いられる。導電性部材の形成方法としては、上記例示の材料をスパッタリング法、真空蒸着法、ＣＶＤ（化学蒸着）法、塗布法等で薄膜状に形成する方法や、導電剤を溶媒や合成樹脂バインダーに混合して塗布したりする方法が用いられる。
この場合、視認側基板１１に設ける導電性部材１６は透明である必要があるが、背面側基板に設ける導電性部材１５は透明である必要がない。いずれの場合もパターン形成可能であり、導電性である上記材料を好適に用いることができる。
【００３３】
なお、導電性部材の厚みは、導電性が確保でき光透過性に支障がなければ良く、３〜１０００ｎｍ、好ましくは５〜４００ｎｍが好適である。背面側基板１２に設ける導電性部材１５の材質や厚みになどは上述した視認側基板に設ける導電性部材１６と同様であるが、透明である必要はない。
【００３４】
そして、これもまた必要に応じて設けられる隔壁１４については、その形状は表示にかかわる表示媒体の種類により適宜最適に設定されるので、一概には特定することができないが、隔壁の幅は２〜１００μｍ、好ましくは３〜５０μｍに、隔壁の高さは１０〜１００μｍ、好ましくは１０〜５０μｍに調整される。また、隔壁を形成するにあたり、対向する両基板１１、１２の各々にリブを形成した後に接合する両リブ法、片側の基板上にのみリブを形成する片リブ法が考えられる。この発明では、いずれの方法も好適に用いられる。
【００３５】
これらのリブからなる隔壁１４により形成されるセルは、図８に略線平面図で示すごとく、基板平面方向からみて四角状、三角状、ライン状、円形状、六角状が例示され、配置としては格子状やハニカム状や網目状が例示される。表示面側から見える隔壁部分に相当する部分（セルの枠部の面積）はできるだけ小さくした方が良く、情報表示の鮮明さが増す。
【００３６】
ここで、隔壁の形成方法を例示すると、金型転写法、スクリーン印刷法、サンドブラスト法、フォトリソ法、アディティブ法が挙げられる。いずれの方法もこの発明に係る情報表示パネルに好適に用いることができるが、これらのうち、レジストフィルムを用いるフォトリソ法や金型転写法が好適に用いられる。
【００３７】
次に、情報表示パネルで用いる表示媒体１３を構成する表示媒体用粒子（以下、粒子ともいう）について説明する。表示媒体用粒子はそれだけで粒子群を形成して表示媒体としたり、他の粒子と合わせた粒子群を形成して表示媒体としたり、後述する粉流体となるように調整して表示媒体としたりすることができる。粒子は、その主成分となる樹脂に、必要に応じて、従来と同様に、荷電制御剤、着色剤、無機添加剤等を含ますことがきる。以下に、樹脂、荷電制御剤、着色剤、その他添加剤を例示する。
【００３８】
樹脂の例としては、ウレタン樹脂、ウレア樹脂、アクリル樹脂、ポリエステル、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン、スチレンアクリル樹脂、ポリオレフィン、ブチラール樹脂、塩化ビニリデン樹脂、メラミン樹脂、フェノール樹脂、フッ素樹脂、ポリカーボネート、ポリスルフォン、ポリエーテル、ポリアミド等が挙げられ、二種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００３９】
荷電制御剤としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。
正荷電制御剤としては例えば、ニグロシン染料、トリフェニルメタン系化合物、４級アンモニウム塩系化合物、ポリアミン、イミダゾール誘導体等が挙げられる。
その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００４０】
着色剤としては、以下に例示するような、有機または無機の各種、各色の顔料、染料が使用可能である。
【００４１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
【００４２】
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００４３】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー1０Ｇ、ベンジジンイエローＧ、ベンジジンイエロー
ＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
【００４４】
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００４５】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００４６】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。
【００４７】
また、表示媒体１３を構成する粒子は平均粒子径ｄ（０．５）が、３〜１０μｍの範囲であり、均一で揃っていることが好ましい。平均粒子径ｄ（０．５）がこの範囲より大きいと表示上の鮮明さに欠け、この範囲より小さいと粒子同士の凝集力が大きくなりすぎるために表示媒体の移動に支障をきたすようになる。
【００４８】
更にここでは、各粒子の粒子径分布に関して、下記式に示される粒子径分布Ｓｐａｎを５未満、好ましくは３未満とする。
Ｓｐａｎ＝（ｄ（０．９）−ｄ（０．１））／ｄ（０．５）
（但し、ｄ（０．５）は粒子の５０％がこれより大きく、５０％がこれより小さいという粒子径をμｍで表した数値、ｄ（０．１）はこれ以下の粒子の比率が１０％である粒子径をμｍで表した数値、ｄ（０．９）はこれ以下の粒子が９０％である粒子径をμｍで表した数値である。）
Ｓｐａｎを５以下の範囲に納めることにより、各粒子のサイズが揃い、均一な粒子移動が可能となる。
【００４９】
さらにまた、各粒子の相関について、使用した粒子の内、最大径を有する粒子のｄ（０．５）に対する最小径を有する粒子のｄ（０．５）の比を５０以下、好ましくは１０以下とすることが肝要である。
【００５０】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、粒子径および粒子径分布は、体積基準分布から得られたものである。具体的には、Mastersizer2000 (Malvern Instruments Ltd.)測定機を用いて、窒素気流中に粒子を投入し、付属の解析ソフト（Mie理論を用いた体積基準分布を基本としたソフト）にて、粒子径および粒子径分布の測定を行なうことができる。
【００５１】
次に、情報表示用パネルに用いる表示媒体１３として例えば用いる粉流体について説明する。なお、この発明に表示媒体として例えば用いる粉流体の名称については、出願人が「電子粉流体（登録商標）：登録番号４６３６９３１」の権利を得ている。
【００５２】
ここでの「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである。（平凡社：大百科事典）。一方粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。  そこでここでは、このような気体の力も、液体の力も借りずに、自ら流動性を示す状態の物質を、特異的に作り出せることが判明し、これを粉流体と定義した。
【００５３】
すなわち、この発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、この発明に係る情報表示パネルで固体状物質を分散質とするものである。
【００５４】
この発明に係る情報表示パネルは、少なくとも一方が透明な、対向する基板間に、表示媒体として、例えば気体中に固体粒子が分散質として安定に浮遊するエアロゾル状態で高流動性を示す粉流体を封入するものであり、このような粉流体は、低電圧の印加でクーロン力などにより容易に安定して移動させることができる。この粉流体は、先に述べたように、気体の力も液体の力も借りずに、自ら流動性を示す、流体と粒子の特性を兼ね備えた両者の中間状態の物質である。その粉流体は、特にエアロゾル状態とすることができ、この発明に係る情報表示パネルでは、気体中に固体状の物質が分散質として比較的安定に浮遊する状態で用いられる。
【００５５】
表示媒体用粒子の帯電量は当然その測定条件に依存するが、情報表示パネルにおける表示媒体用粒子の帯電量はほぼ、初期帯電量、隔壁との接触、基板との接触、経過時間に伴う電荷減衰に依存し、特に表示媒体用粒子の帯電挙動の飽和値が支配因子となっているということが分かった。
【００５６】
さらに、表示媒体用粒子で構成する粒子群や粉流体をそのまま表示媒体とする乾式の情報表示パネルに用いる場合は、パネル基板間の表示媒体を取り巻く空隙部分の気体の管理が重要であり、表示の安定性向上に寄与する。具体的には、空隙部分の気体の湿度について、２５℃における相対湿度を６０％ＲＨ以下、好ましくは５０％ＲＨ以下、更に好ましくは３５％ＲＨ以下とすることが重要であるが、表示媒体用粒子で構成する粒子群や粉流体をカプセル内に封入して表示媒体とする乾式の情報表示パネルに用いる場合には、パネル基板間の表示媒体（表示媒体封入カプセル）を取り巻く空隙部分の気体の管理はさほど重要ではない。
【００５７】
この空隙部分とは、図３（ａ）〜（ｃ）及び図４（ａ）〜（ｃ）において、対向する基板１１、１２に挟まれる部分から、導電性部材１５、１６（導電性部材を設けた場合）、表示媒体１３の占有部分、隔壁１４の占有部分（隔壁を設けた場合）、情報表示パネルのシール部分を除いた、いわゆる表示媒体１３が接する気体部分を指すものとする。
【００５８】
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示パネルに封入することが必要であり、例えば、表示媒体の充填、情報表示パネルの組み立てなどを所定湿度環境下にて行い、さらに、外からの湿度侵入を防ぐシール材、シール方法を施すことが肝要である。
【００５９】
ここでの情報表示用パネルにおける基板１１と基板１２との間隔は、表示媒体１３が移動できて、コントラストを維持できればよいが、通常１０〜１００μｍ、好ましくは１０〜５０μｍに調整される。対向する基板間の空間における表示媒体１３Ｂ、１３Ｗの体積占有率は５〜７０％が好ましく、さらに好ましくは５〜６０％である。７０％を超える場合には表示媒体１３Ｂ、１３Ｗの移動に支障をきたし、５％未満の場合にはコントラストが不明確となり易い。
【産業上の利用可能性】
【００６０】
本発明の可逆式情報表示パネルを用いた紙芝居セットは、一旦表示した情報を確実に消去した後、さらに新しい情報を表示することを何度でも行えるので、表示する場面毎に準備した複数の用紙に所定の印刷等を施して表示することが不要となり、コストおよびそのための作業工数を大きく抑制することができるとともに、場面を書き換える時だけ電荷を与えて電界を発生させるか電圧を印加して電界を発生させればよいので、消費電力が少なく、可搬性が要求される移動式紙芝居等の用途に好適に用いることができる。
【図面の簡単な説明】
【００６１】
【図１】（ａ）、（ｂ）はそれぞれ本発明の可逆式情報表示パネルを用いた紙芝居セットの一例を示す図である。
【図２】（ａ）、（ｂ）はそれぞれ紙芝居ボックスの情報表示パネルと対応する部分の基板の一例を示す図である。
【図３】（ａ）〜（ｃ）はそれぞれ本発明で用いる可逆式情報表示パネルにおける構造の一例を示す図である。
【図４】（ａ）〜（ｃ）はそれぞれ本発明の可逆式情報表示パネルにおける構造の他の例を示す図である。
【図５】本発明で用いる可逆式情報表示パネルにおける情報表示の一例を説明するための図である。
【図６】本発明で用いる可逆式情報表示パネルにおける情報書き換えの一例を説明するための図である。
【図７】本発明で用いる可逆式情報表示パネルにおける情報消去の一例を説明するための図である。
【図８】隔壁により区画されるセルの配置例を示す略線平面図である。
【符号の説明】
【００６２】
１  紙芝居セット
２  情報表示パネル
３  紙芝居ボックス
４  制御部
５  背面基板
６  ライン電極
７  前面透明基板
８  透明ライン電極
１１、１２  基板
１３  表示媒体（粒子群または粉流体）
１３Ｗ  白色表示媒体
１３Ｂ  黒色表示媒体
１４  隔壁
１５、１６  導電性部材
１７  カプセル
２１、２２、２３  電荷形成手段
【図１】
2006235296.tif 000003
【図２】
2006235296.tif 000004
【図３】
2006235296.tif 000005
【図４】
2006235296.tif 000006
【図５】
2006235296.tif 000007
【図６】
2006235296.tif 000008
【図７】
2006235296.tif 000009
【図８】
2006235296.tif 000010